(57)【要約】      （修正有）【課題】電子デバイスのスロットにカードを固定するのに役立つカード固定器を提供する。【解決手段】カード固定器１００は、本体１１０と、クリップ構造１２０とを含む。本体は、第１の側部１１０ａと、第１の側部と平行な第２の側部とを有する。本体の第１の側部にはフック１１２が設けられる。クリップ構造は、本体の第２の側部から延びてカード２００を挟む。カード固定器のクリップ構造がカードを挟み、カード固定器にカードが取り付けられた状態でスロットに挿入されたとき、フックは、前記スロットの内壁に係止される。【選択図】図１Ｂ
2009116858.tif 000002
【特許請求の範囲】
【請求項１】
電子デバイスのスロットにカードを固定するカード固定器であって、
フックが設けられた第１の側部、および、前記第１の側部と平行な第２の側部を有する本体と、
前記第２の側部から延びて前記カードを挟むクリップ構造と、
を備え、
前記クリップ構造が前記カードを挟み、前記カード固定器に前記カードが取り付けられた状態で前記スロットに挿入されたとき、前記フックは、前記スロットの内壁に係止される、
カード固定器。
【請求項２】
前記カード固定器に前記カードが取り付けた状態で前記スロットに挿入されたとき、前記クリップ構造は、前記スロットの外側に位置する、請求項１に記載のカード固定器。
【請求項３】
前記本体における摺動路内に配置され、経路に沿って摺動することができる摺動部をさらに備え、前記摺動部は、係止部分を少なくとも含み、前記カード固定器に前記カードが取り付けられた状態で前記スロットに挿入され、前記摺動部が前記経路に沿って前記電子デバイスの内部に向かって摺動するとき、前記係止部分は、前記本体の前記第１の側部の内側から前記第１の側部の外側へと移動し、前記スロットの前記内壁と密着する、請求項１に記載のカード固定器。
【請求項４】
前記摺動部は、力供給部分をさらに含み、前記カード固定器に前記カードが取り付けられた状態で前記スロットに挿入されたとき、前記力供給部分は、前記スロットの外側に位置する、請求項３に記載のカード固定器。
【請求項５】
前記摺動部は、少なくとも１つの第１のガイド部をさらに含み、前記本体は、前記第１のガイド部に対応して形成された少なくとも１つの第２のガイド部を有し、前記摺動部は、前記第１のガイド部と前記第２のガイド部とが嵌合することにより、前記経路上を往復摺動する、請求項３に記載のカード固定器。
【請求項６】
前記第１のガイド部は、円柱型ガイドであり、前記第２のガイド部は、ガイド溝である、請求項５に記載のカード固定器。
【請求項７】
前記第１のガイド部は、ガイド溝であり、前記第２のガイド部は、円柱型ガイドである、請求項５に記載のカード固定器。
【請求項８】
前記フックは、弾力性のあるフックである、請求項１に記載のカード固定器。
【請求項９】
前記クリップ構造は、前記本体の側端部で前記カードを挟むクリップ部分を有する、請求項１に記載のカード固定器。
【請求項１０】
前記カードは、拡張カードであり、前記スロットは、拡張ソケットである、請求項１に記載のカード固定器。
【請求項１１】
前記カードの幅は、前記スロットの幅より小さい、請求項１に記載のカード固定器。
【請求項１２】
前記本体と前記クリップ構造との幅の合計は、前記スロットの幅とちょうど等しい、請求項１に記載のカード固定器。
【発明の詳細な説明】
【技術分野】
【０００１】
本発明は、概して固定器に関し、より詳しくは、電子デバイスのスロットにカードを固定させるカード固定器に関する。
【背景技術】
【０００２】
科学技術の進歩に伴い、電子デバイスは、例えば、ラップトップコンピュータなど、多くの用途でますます普及してきている。一般的な電子デバイスとは異なり、ランプトップコンピュータは、ユーザに利便性を提供すべく持ち運びしやすいように、通常、軽く、薄く、短く、小型に設計される傾向にある。
【０００３】
通常、ラップトップコンピュータは、持ち運びが便利なように小型化すべく、基本的な機能に必要なボードカードのみを内部に備えている。したがって、一般的に、ラップトップコンピュータの機能を拡張するためには、ラップトップコンピュータの本体に少なくとも拡張ソケットが設けられる。例えば、ラップトップコンピュータの機能を強化すべく、エクスプレスカードが用いられて拡張スロットに挿入されることもある。
【０００４】
拡張カードのサイズは、その機能によって異なることに留意されたい。例えば、上述のエクスプレスカードは、ＰＣＩ  Ｅｘｐｒｅｓｓ規格、および、ＵＳＢ  ２．０規格のそれぞれに基づく２種類のインターフェースを有し、サイズは３４ｍｍのものと５４ｍｍのものがある。一般的なラップトップコンピュータは、上述の２つの異なるサイズを有するエクスプレスカードを収容できる拡張スロットを少なくとも有する。しかしながら、ユーザが小型の拡張カードをスロットに挿入した場合、拡張カードの寸法は、スロットの収容空間と一致しない。したがって、拡張カードがしっかりはまらず、ラップトップコンピュータを移動する間、または、揺れなどによってスロットから抜け落ちたりする可能性がある。結局それは、拡張カードとスロットとの間が密着していないからである。特に、サイズの小さい拡張カードが外部から伝送ケーブルに接続されると、ケーブルは、不適切な外部の力によって簡単に引き抜かれ、その結果、伝送ケーブルに接続されたサイズの小さい拡張カードもスロットから外れてしまい、ラップトップコンピュータの動作効率に影響を及ぼす。
【発明の開示】
【発明が解決しようとする課題】
【０００５】
したがって、本発明は、電子デバイスのスロット内にカードをしっかり固定することができるカード固定器を提供すること目的とする。
【課題を解決するための手段】
【０００６】
本発明は、電子デバイスのスロット内にカードを固定するカード固定器を提供する。カード固定器は、本体と、クリップ構造とを含む。本体は、第１の側部と、当該第１の側部と平行な第２の側部とを有する。本体の第１の側部にはフックが設けられる。クリップ構造は、本体の第２の側部から延びて本体の上でカードを挟む。カード固定器のクリップ構造がカードを挟むと、カード固定器がカードと共にスロットに挿入され、フックがスロットの内壁に係止されることにより、カードはスロット内にしっかり挿入される。
【０００７】
本発明の一実施形態では、カード固定器にカードを取り付けた状態でスロットに挿入されたとき、クリップ構造は、スロットの外側に位置する。
【０００８】
本発明の一実施形態では、カード固定器は、本体の摺動路に配置されて経路に沿って摺動することが可能な摺動部をさらに含む。摺動部は、少なくとも１つの係止部分を含む。カード固定器にカードを取り付けた状態でスロットに挿入され、摺動部が経路に沿って電子デバイスの内部に向かって摺動するとき、係止部分は、本体の第１の側部の内側から当該第１の側部の外側へと移動してスロットの内壁と密着する。
【０００９】
本発明の一実施形態では、摺動部は、力供給部分をさらに含み、カード固定器にカードを取り付けた状態でスロットに挿入されたとき、力供給部分は、スロットの外側に位置する。
【００１０】
本発明の一実施形態では、摺動部は、第１のガイド部を少なくとも含み、本体は、当該第１のガイド部に対応して形成された第２のガイド部を少なくとも含み、摺動部は、第１のガイド部と第２のガイド部とが嵌合することにより、経路上を往復摺動する。
【００１１】
本発明の一実施形態では、第１のガイド部は、円柱型ガイドであり、第２のガイド部は、ガイド溝である。
【００１２】
本発明の一実施形態では、第１のガイド部は、ガイド溝であり、第２のガイド部は、円柱型ガイドである。
【００１３】
本発明の一実施形態では、フックは、弾力性のあるフックである。
【００１４】
本発明の一実施形態では、クリップ構造は、本体の側端部でカードを挟むクリップ部分を有する。
【００１５】
本発明の一実施形態では、カードは拡張カードであり、スロットは、拡張ソケットである。
【００１６】
本発明は、電子デバイスのスロットにカードを固定するカード固定器を利用することにより、カードがスロットにしっかり固定され、電子デバイスの移動、または、電子デバイスに接続されたケーブルが外部の力によって引き抜かれることにより、使い勝手が悪くなる、あるいは、部品にダメージを与えることを防ぐ。
【図面の簡単な説明】
【００１７】
添付の図面は、本発明の理解を深めると共に、本明細書の一部をなす。図面は、記載と共に本発明の複数の実施形態を示し、本発明の原理を説明する役割を果たす。
【００１８】
【図１Ａ】本発明の一実施形態における、カード固定器およびカードの分解図である。
【００１９】
【図１Ｂ】図１Ａにおけるカードが取り付けられたカード固定器を示す図である。
【００２０】
【図２Ａ】図１Ｂにおけるカードが取り付けられたカード固定器と、電子デバイスとを示すブロック図である。
【００２１】
【図２Ｂ】図１Ｂにおけるカード固定器にカードが取り付けられた状態で電子デバイスのスロットに挿入されたところを示す図である。
【００２２】
【図３Ａ】本発明の他の実施形態に従うカード固定器の分解図である。
【００２３】
【図３Ｂ】図３Ａのカード固定器の組立て図である。
【００２４】
【図３Ｃ】経路に沿って移動する図３Ａにおける摺動部を別の視点から示した図である。
【００２５】
【図４Ａ】図３Ｂにおけるカード固定器にカードが取り付けられた状態で電子デバイスのスロットに挿入されているところを示す図である。
【００２６】
【図４Ｂ】ユーザに押された後の図４Ａにおける摺動部を示す図である。
【発明を実施するための最良の形態】
【００２７】
添付の図面に示されたいくつかの例を用いて本発明の好適な実施形態を参照する。可能な限り、同じまたは同様の部分に言及する際は、図面および記載において同じ参照符号を用いる。
【００２８】
図１Ａは、本発明の一実施形態におけるカード固定器と小さめのカードとを示す分解図であり、図１Ｂは、図１Ａにおけるカード固定器に小さめのカードが取り付けられた状態を示す図である。図１Ａおよび１Ｂを参照すると、本実施形態のカード固定器１００は、本体１１０と、クリップ構造１２０とを主に含む。本体１１０は、第１の側部１１０ａ、および、当該第１の側部１１０ａと平行な第２の側部１１０ｂとを有する。本体１１０の第１の側部１１０ａ上にはフック１１２が設けられ、フック１１２は、例えば、弾力性のあるフックである。クリップ構造１２０は、本体１１０の第２の側部１１０ｂから延びてカード２００を挟むことができ、特に、小さめのカードを挟むことができる。本実施形態では、小さめのカードは、幅３４ｍｍのエクスプレスカードでありうる。
【００２９】
さらに詳しくは、本実施形態における本体１１０の第２の側部１１０ｂから延びるクリップ構造１２０は、カードを固定するのにちょうどよい幅を有する。本体１１０の幅と、クリップ構造１２０の幅との合計は、電子デバイスにおけるスロットの幅とちょうど等しく、すなわち、大きめなサイズの市販のカードの幅である。
【００３０】
クリップ構造１２０は、好ましくは、カード２００の幅を超え、本体１１０の一方の側端でカード２００を係止して挟むようにクリップ部分１２２を用いる。このような方法で、カード固定器１００は、電子デバイスのスロットにカード２００が挿入されるのを効果的に支援し、かつ、スロットが移動できる空間を与えない。カード２００がカード固定器１００を用いてスロットにしっかりと固定されるメカニズムは、以下に説明する。
【００３１】
図２Ａは、図１Ｂにおけるカード固定器およびカードと、拡張ソケットを有する電子デバイスとを示し、図２Ｂは、図１Ｂにおけるカード固定器にカードが取り付けられた状態で電子デバイスのスロットに挿入されているところを示す図である。
【００３２】
本実施形態における図２Ａおよび２Ｂを参照すると、電子デバイス３００は、例えば、ラップトップコンピュータであり、スロット３１０は、例えば、拡張ソケットまたは他のタイプのスロットであり、スロットの幅は、市販の５４ｍｍ幅のエクスプレスカードのサイズに対応する。カード２００が本実施形態のカード固定器１００に係止され、その状態でスロット３１０に挿入されると、カード固定器１００にカード２００が取り付けられた状態での幅は、スロット３１０の幅と等しくなるので、カード２００とスロット３１０との間の空間は、カード固定器１００の本体１１０によって満たされる。このように、小さめのカード２００の幅は、スロット３１０の幅より狭いので、カードが簡単に動くのを防ぎ、また、収容空間に空きができることによりスロット３１０が抜け落ちるのを防ぐことができる。
【００３３】
さらに、フック１１２は、本体１１０の第１の側部１１０ａに配置され、スロット３１０の内壁に適切に係止されるので、クリップ構造１２０がカード２００を挟み、カード固定器１００にカード２００が取り付けられた状態でスロット３１０内に挿入されると、カード固定器１００は、フック１１２とスロット３１０の内壁とが係合することにより、カード２００をスロット３１０内にしっかりと固定することができる。その一方で、電子デバイス３００は、カード２００を効率的に読み取るための好ましい作業状態を維持する。
【００３４】
本実施形態におけるフック１１２は、例えば、弾性力のあるフックなので、ユーザは、スロット３１０からカード２００を取り出すには、フック１１２に隣接した本体１１０の一部を単に押し下げるだけでよい。その場合、フック１１２は、弾性的に変形してスロット３１０の内壁から離れ、ユーザは、カード固定器１００に取り付けられた状態のカード２００をスロット３１０から簡単に取り出すことができる。
【００３５】
カードをスロットにさらにしっかりと挿入すべく、本発明は、他の実施形態に従うカード固定器をさらに提供する。図３Ａおよび３Ｂ（図３Ａは、本発明の他の実施形態におけるカード固定器の組立て図であり、図３Ｂは、図３Ａのカード固定器の組立図である）を参照すると、本実施形態におけるカード固定器１００'は、本体１１０上の摺動路内に配置された摺動部１３０をさらに含む点を除き、上述のカード固定器１００と同様である。
【００３６】
本実施形態では、摺動部１３０は、係止部分１３２を少なくとも有し、経路Ｌ（例えば、直線の経路に代わり、わずかに湾曲した経路など）に沿って摺動する。本願明細書中の摺動部１３０が経路Ｌに沿って摺動すると、摺動部１３０の係止部分１３２は、第１の側部１１０ａの内側から当該第１の側部１１０ａの外側まで移動する。したがって、摺動部１３０が経路Ｌに沿って摺動している間、最初は第１の側部１１０ａの内側に配置されていた係止部分１３２は、本体１１０の第１の側部１１０ａから突き出すだろう（図３Ｃを参照すると、経路に沿って移動する図３Ａにおける摺動部を別の視点から示している）。
【００３７】
本実施形態のさらなる詳細において、例えば、力供給部分１３４と、少なくとも第１のガイド部１３６とが摺動部１３０に配置され（図３Ａでは、２つの第１のガイド部１３６が例として配置されている）、第１のガイド部１３６に対応する少なくとも第２のガイド部１１４が本体１１０に配置されている（図３Ａでは、２つの第２のガイド部１１４が例として配置されている）。ユーザが力供給部分１３４を操作した後、摺動部１３０は、第１のガイド部１３６と第２のガイド部１１４とが嵌合することにより、経路Ｌに沿って往復摺動することができる。
【００３８】
本実施形態では、第１のガイド部１３６は、例えば、円柱型ガイドであり、第２のガイド部１１４は、例えば、経路Ｌに従い設計されるガイド溝であり、円柱型ガイドを有する摺動部１３０は、ガイド溝に誘導されて経路Ｌに沿って摺動可能である。しかしながら、他の実施形態では、第１のガイド部１３６が例えばガイド溝であり、第２のガイド部１１４が例えば円柱型ガイドであってよく、本発明は、それに限定されない。
【００３９】
図３Ｃ、４Ａ、および、４Ｂを参照すると、図４Ａは図３Ｂにおけるカード固定器にカードが取り付けられた状態で電子デバイスのスロットに挿入されたところを示す図であり、図４Ｂは、ユーザにより押された後の図４Ａにおける摺動部を示す図である。
【００４０】
本実施形態では、カード固定器１００'にカード２００が取り付けられた状態でスロット３１０内に挿入されると、力供給部分１３４は、例えば、ユーザが押しやすいようにスロット３１０の外側に配置される。ユーザが力供給部分１３４を方向Ｄに沿って電子デバイス３００の内部に向けて押すと、摺動部１３０は、経路Ｌに沿って電子デバイス３００の内部に向かって摺動する。一方、本体１１０の第１の側部１１０ａの内側に元々配置されていた係止部分１３２は、摺動部１３０の移動に伴い本体１１０の第１の側部１１０ａから突き出して、スロット３１０の内壁と密着することにより、カード固定器１００'はスロット３１０内によりしっかりと挿入されることができる。
【００４１】
具体的には、カード２００とスロット３１０との間の空間は、カード固定器１００'の本体１１０によって効果的に満たされているので、摺動部１３０の移動によって第１の側部１１０ａから係止部分１３２が突出することにより、スロット３１０におけるカード固定器１００'の全体の寸法がわずかに大きくなる。結果として、カード固定器１００'は、スロット３１０の内壁とさらに密着し、したがって、カード固定器１００'により挟まれたカード２００は、スロット３１０内にさらにしっかり挿入される。
【００４２】
要するに、本発明は、カード、特に小さめのカードを電子デバイスのスロット内に挿入するカード固定器を用いる。本願明細書中に記載されたカード固定器は、フックを有する本体と、カードを挟むクリップ構造とを主に備える。カード固定器のクリップ構造が小さめのカードを挟んだ状態でスロット内に挿入されると、カードとスロットとの間の空間が本体により満たされ、それによってカードの寸法とスロットの空間との不整合により生じる揺れを少なくすることができる。本体に設けられたフックは、スロットの内壁に係止されることができるので、カード固定器にカードが取り付けられた状態でスロット内にしっかり固定されることができる。換言すると、小さめのカードは、本発明のカード固定器を用いることにより、スロット内にしっかり挿入されることができる。
【００４３】
さらに、摺動部は、本発明の本体に配置されるので、ユーザが摺動部を押すことにより、摺動部に配置された係止部分を本体の外に突き出すことができ、それによって、スロット内のカード固定器の全体の寸法をわずかに大きくさせることができる。結果として、カード固定器は、スロットの内壁とさらに密着し、したがって、カード固定器により挟まれたカードは、スロット内にさらにしっかり挿入される。要するに、内部にカードが挿入された電子デバイスは、より安定して動作することができる。
【００４４】
さらに、本発明のカード固定器は、カードを電子デバイスのスロットに固定するのに有効に役立ち、特に、小さめのカードに有益である。この場合、カードが伝送ケーブルに外部から接続された場合でも、伝送ケーブルが引き抜かれたことによりカードがスロットから外れることはまずない。
【００４５】
本発明の範囲または趣旨に逸脱せずに、本発明の構造にさまざまな修正および変更がなされうることが当業者には明らかであろう。上記に鑑み、添付の請求項およびそれらの均等物の範囲に納まる限りにおいて、本発明は、本発明の修正および変更を含むことが意図される。
【図１Ａ】
2009116858.tif 000003
【図１Ｂ】
2009116858.tif 000004
【図２Ａ】
2009116858.tif 000005
【図２Ｂ】
2009116858.tif 000006
【図３Ａ】
2009116858.tif 000007
【図３Ｂ】
2009116858.tif 000008
【図３Ｃ】
2009116858.tif 000009
【図４Ａ】
2009116858.tif 000010
【図４Ｂ】
2009116858.tif 000011
【外国語明細書】
2009116858.tif 000012
2009116858.tif 000013
2009116858.tif 000014
2009116858.tif 000015
2009116858.tif 000016
2009116858.tif 000017
2009116858.tif 000018
2009116858.tif 000019
2009116858.tif 000020
2009116858.tif 000021
2009116858.tif 000022
2009116858.tif 000023
2009116858.tif 000024
2009116858.tif 000025
2009116858.tif 000026
2009116858.tif 000027
2009116858.tif 000028
2009116858.tif 000029
2009116858.tif 000030
2009116858.tif 000031